(57)【要約】【課題】従来のインターフェースモジュールにおいて、センサ等の入力機器及び表示灯や電磁弁などの出力機器の接続の際には、個々の入力機器や出力機器の電線を接続する端子台が離れており、またそれぞれの端子台までが異なる距離にあるため入力機器及び出力機器の電線の長さをその都度変える必要があった。かつ接続する端子台が入力機器及び出力機器の電線とは関係ない配列であったために結線作業が困難であった。【解決手段】インターフェース端子台の並びを、入力機器及び出力機器の電線の並び順に設ける。また端子台の色を接続する入力機器及び出力機器の電線の色に合わせ、その順列の組み合わせが連続した端子台ブロックを持つものを供給する。【選択図】図１
2006236958.tif 000002
【特許請求の範囲】
【請求項１】
制御計装分野及び通信分野におけるＰＬＣ及びパーソナルコンピュータ及びパソコンを含む各種コントローラの為の入出力機器接続用インターフェースモジュールにおける端子台の配列と印字マーキング順列。
【請求項２】
前項の端子台配列と印字マーキング色及び順列はインターフェースモジュールに接続する入力機器及び出力機器の個々の信号名及び電線色に相当する名称や色に対応した順列で、１つの入力機器及び出力機器の電線を隣接した電線と同じ数の端子台で接続する。その順列で隣接した電線と同じ数の端子台が複数集まった端子台ブロックを搭載する事を特徴とする請求項１のインターフェースモジュール。
【発明の詳細な説明】
【技術分野】
【０００１】  この発明は、制御計装分野及び通信分野におけるＰＬＣ及びパーソナルコンピュータ及びパソコンを含む各種コントローラの為のインターフェースモジュールにおける端子台の配列と印字マーキング色及び順列に関する。
【技術背景】
【０００２】  従来のインターフェース端子台の印字マーキングは、図２に示すようにＰＬＣ及びコントローラのコネクタピン配置が反映されたものであった。
【発明の開示】
【発明が解決しようとする課題】
【０００３】  以下、図３により説明する。
従来の技術によれば、入力機器及び出力機器の接続の際には、端子台配列が上位ＰＬＣ及び制御用コントローラのコネクタ配列が反映されていたため接続する端子台が分かり辛く、また電線の長さが異なる為施工時間もかかっていた。【０００４】  例えば制御用途の入力機器として広く使用されているトランジスタ出力センサ２８を信号００番に接続する際には、センサ２８の信号線３０（黒色電線）を信号端子台００へ、電源線Ｐ極用２９（茶色電線）を端子台Ｐ極へ、電源線Ｎ極用（青色電線）３１を端子台Ｎ極にそれぞれ接続する作業を行う。【０００５】  以上の接続作業においてはそれぞれ接続する端子台が離れている事、またセンサ２８から端子台まで異なる距離であるためにそれぞれの電線の長さを変える必要があり、その結果長い施工時間が必要であった。
また端子台が色分けされていなかったために、誤配線しやすい端子台配列及びマーキングであった。【０００６】  本発明は誤配線することなく入力機器や出力機器を端子台に接続可能な、インターフェースモジュールを提供する事を課題とする。
【発明が解決するための手段】
【０００７】  以上の課題を解決するために第一発明は、端子台配列を入力機器や出力機器の電線の順に並べ、個々の入力機器や出力機器の単位でまとまり、順に隣接している端子台を持つインターフェースモジュールである。
また第二発明は、接続する入出力機器の電線順列または電線色の通りに色付け及びマーキングされた端子台が配列している事を特徴とするＰＬＣ及びコントローラと接続するインターフェースモジュールである。
【発明を実施するための最良の形態】
【０００８】  この発明の一実施形態を、図１に示す。
個々の入力機器や出力機器の順列は、例えばＮＰＮセンサ用４の３本の電線をインターフェースモジュール１の端子台ブロック３に接続する場合には、電源線Ｐ極用５（茶色電線）をＰ極８に、信号線６（黒色電線）を信号００極９に、電源線Ｎ極用（青色電線）７をＮ極１０にそれぞれ接続する。【０００９】  または接続機器の電線の色に合わせてＰ極８を茶色に、信号００極９を黒色に、Ｎ極１０を青色に着色した端子台を設ける。【００１０】  ２つ目のＮＰＮセンサを接続する場合は、３本の電線をＰ極１１、信号０１極１２、Ｎ極１３に接続する。前文のＰ極８、信号００極９、Ｎ極１０の３つ、同じく本文のＰ極１１、信号０１極１２、Ｎ極１３のように、端子台はＮＰＮセンサ４の３本の電線信号名称通りに連続する端子台ブロックを形成する。【００１１】  ここで説明したＮＰＮセンサ以外の入力機器用や出力機器用のインターフェースモジュールの場合には、接続対象の機器の電線順を端子台順列に反映させてある事はいうまでもない。【００１２】  第一発明、または第二発明によれば、ＰＬＣ及びコントローラと接続するインターフェースモジュールが、入力機器や出力機器個々の電線の順列に並んでいる、または接続する機器個々の電線と同じ色に着色してあるために誤配線する事無く接続する事が可能となる。
「実施形態の効果」【００１３】  この実施形態によれば、入力機器及び出力機器の電線の並びに並んだインターフェースモジュールの端子台２の効果で入力機器及び出力機器を接続する際に電線の長さを揃える事が可能なため、短い時間での電線接続が可能である。【００１４】  かつそれぞれ入力機器の数量分用意された電源端子台を装備しているために、センサ電源供給用端子台など他の機器を用いる事は不要となる。
図４にセンサ電源供給用端子台を使用した結線を示した。
インターフェースモジュールの端子台ブロック３８の電源Ｐ極と電源Ｎ極が２個ずつしか無いために、別にセンサ電源供給用端子台３３を配置して結線を行う事となり、結線作業はさらに困難になる。【００１５】  しかし本発明においては個々の入力機器及び出力機器全てに電源供給端子台が備わっている為に、別途電源供給用機器を用いる必要は無い。【００１６】  また接続機器と同じ色に色分けされた端子台にそれぞれの電線を接続するため、間違う事なく接続することが可能である。
【図面の簡単な説明】
【００１７】
【図１】この発明の一実施形態を示す正面図である。
【図２】従来技術を示す正面図である。
【図３】従来技術を用いた商品で、センサの接続を示す正面図である。
【図４】従来技術を用いた商品にセンサ電源供給用端子台を使用した結線を示す正面図である。
【符号の説明】
【００１８】１    インターフェースモジュール
２    コネクタ
３    端子台ブロック
４    ＮＰＮトランジスタセンサ
５    電源線（Ｐ極、茶色電線）
６    信号線（黒色電線）
７    電源線（Ｎ極、青色電線）
８    Ｐ極端子台
９    信号端子台００番
１０  Ｎ極端子台
１１  Ｐ極端子台
１２  信号端子台０１番
１３  Ｎ極端子台
１４  Ｐ極端子台
１５  信号端子台０２番
１６  Ｎ極端子台
１７  Ｐ極端子台
１８  信号端子台０３番
１９  インターフェースモジュール
２０  コネクタ
２１  端子台ブロック
２２  端子台（信号００番〜３１番）
２３  電源端子台（Ｐ極）
２４  電源端子台（Ｎ極）
２５  インターフェースモジュール
２６  コネクタ
２７  端子台ブロック
２８  ＮＰＮトランジスタセンサ
２９  電源線（Ｐ極、茶色電線）
３０  信号線（黒色電線）
３１  電源線（Ｎ極、青色電線）
３２  インターフェースモジュール
３３  センサ電源供給用端子台
３４  ＮＰＮトランジスタセンサ
３５  電源線（Ｐ極、茶色電線）
３６  信号線（黒色電線）
３７  電源線（Ｎ極、青色電線）
【図１】
2006236958.tif 000003
【図２】
2006236958.tif 000004
【図３】
2006236958.tif 000005
【図４】
2006236958.tif 000006